(57)【要約】 【課題】感光体上の静電潜像を現像器の現像ローラで現像し、形成したトナー像を走行する転写ベルトに転写する画像形成装置であって、感光体上の静電潜像の現像に伴って発生する粉煙トナーの飛散を、簡易に安価に抑制できる画像形成装置を提供する。【解決手段】感光体ドラム１１上に形成される静電潜像を現像器１４の現像ローラ１４１にて現像してトナー像とし、該トナー像を転写ベルト４に転写する画像形成装置。現像器ケースの一部１４２が感光体ドラム１１及び転写ベルト４に臨んでいる。感光体ドラム１１と現像器ケース部分１４２との間に気流制御板５が配置されている。気流制御板５は、現像ローラ１４１から感光体ドラム１１に沿って転写ベルト４の方へ流れ、折り返す気流を、主として、ケース部分１４２と気流制御板５の間から現像ローラ１４１の方へ導く。【選択図】  図１
2006276092.tif 000002
【特許請求の範囲】
【請求項１】
回転する感光体上に形成される静電潜像を現像器の回転する現像ローラを用いて現像してトナー像とし、該トナー像を走行する転写ベルトに転写するように構成された画像形成装置であって、該現像ローラの回転方向が感光体回転方向と逆方向とされ、該転写ベルトの走行方向が、該転写ベルトが臨んでいる感光体表面部分の移動方向と同方向とされ、該現像器のケースの一部が該転写ベルト走行方向において上流側から該感光体及び該転写ベルトの双方に臨んでいるとともに該現像器の現像ローラが該現像器ケースの一部よりも前記転写ベルトから遠い位置で該感光体ドラムに臨設されており、前記感光体ドラムと前記現像器ケースの一部との間に、一端部が前記転写ベルト側に位置するとともに他端部が前記現像ローラ側に位置する気流制御板が配置されており、該気流制御板は、該現像ローラから該感光体ドラムに沿って転写ベルトの方へ流れ、折り返す気流を、主として、前記現像器ケースの一部と該気流制御板の間から該現像ローラの方へ導く制御板であることを特徴とする画像形成装置。
【請求項２】
前記気流制御板の一端部において前記現像器ケースの一部に対向する板面に立てた垂線上における該板面から前記感光体までの距離がＡ、該気流制御板の一端部において前記感光体に対向する板面に立てた垂線上における該板面から該現像器ケースの一部までの距離がＢ、前記気流制御板の一端部において前記現像器ケースの一部に対向する板面に立てた垂線上における該感光体ドラムから該現像器ケースの一部までの距離がＣであり、Ａ≦〔（２／３）・Ｃ〕  且つ  Ｂ≦〔（２／３）・Ｃ〕を満足している請求項１記載の画像形成装置。
【請求項３】
前記気流制御板と前記転写ベルト間の最短距離がＤであり、前記現像器ケースの一部と前記転写ベルト間の最短距離がＥであり、１〔ｍｍ〕≦（Ｄ−Ｅ）を満足している請求項１又は２記載の画像形成装置。
【請求項４】
前記気流制御板と前記現像器ケースの一部との間に気流ろ過用フィルタを備えている請求項１、２又は３記載の画像形成装置。
【発明の詳細な説明】
【技術分野】
【０００１】
本発明は、複写機、プリンタ、ファクシミリ機、これらの２以上を組み合わせた複合機等であって、トナーを用いて画像形成する画像形成装置に関する。
【背景技術】
【０００２】
トナーを用いて画像成形する画像形成装置としては、回転する感光体上に画像露光により原稿画像に対応した静電潜像を形成し、該静電潜像を現像器の回転する現像ローラで現像して可視トナー像とするものが広く知られている。感光体上のトナー像は記録媒体に転写され、定着装置で定着される。
【０００３】
感光体上のトナー像を記録媒体に転写するにあたっては、感光体上のトナー像が直接記録媒体上に転写されることもあるが、２色以上のカラー画像（代表的にはフルカラー画像）を形成できる画像形成装置では、感光体上に形成された各色トナー像が各色トナー像ごとに順次に、多重に、中間転写体（例えば走行する転写ベルト）上に１次転写され、次いで該中間転写体から多重トナー像が記録媒体上に２次転写され、定着される。勿論、カラー画像形成装置においても、一色のトナー（例えば黒トナー）を用いてモノクロ画像を形成することも可能である。
【０００４】
いずれにしても、トナーを用いて画像成形する画像形成装置においては、工夫を施さなければ、感光体上の静電潜像を現像器で現像する現像領域に粉煙トナーが発生し、これが現像領域周辺へ広範囲に飛散して機内を汚染する。そのため、現像器からトナーが飛散しないように、現像器にトナー飛散抑制のためのシール部材を設けることが行われており、また、現像器をその内部の圧力上昇を防ぐ構成としてトナー飛散を抑制することが試みられている（特開昭６０−１２０３７６号公報）。
【０００５】
【特許文献１】特開昭６０−１２０３７６号公報
【発明の開示】
【発明が解決しようとする課題】
【０００６】
しかしながら、現像器にシール部材を設ける手法は、現像器製作においてシール部材を付加しなければならず、しかも、該シール部材は、トナー飛散抑制効果が発揮されるように現像器の他の部材との位置関係等を調整して付加しなけれならないなどのために、現像器コストの高騰を招いていた。特開昭６０−１２０３７６号公報に開示されているように、現像器をその内部の圧力上昇を防ぐ構成とする場合も、現像器はコスト高となる。
特に、前記のカラー画像形成装置等のように、各色トナーごとの現像器を備えた画像形成装置では、現像器数が多いので、画像形成装置が、それだけ高価になる。
【０００７】
そこで本発明は、回転する感光体上に形成される静電潜像を現像器の回転する現像ローラを用いて現像してトナー像とし、該トナー像を走行する転写ベルトに転写するように構成された画像形成装置であって、感光体上の静電潜像の現像器による現像に伴って発生する粉煙トナーの飛散を、簡易に安価に抑制できる画像形成装置を提供することを課題とする。
【課題を解決するための手段】
【０００８】
本発明者は前記課題を解決するため研究を重ね、次の知見を得た。
回転する感光体上に形成される静電潜像を現像器の回転する現像ローラを用いて現像してトナー像とし、該トナー像を走行する転写ベルトに転写するように構成された画像形成装置、例えばタンデム型のカラー画像形成装置では、該現像ローラの回転方向が感光体回転方向と逆方向とされ、該転写ベルトの走行方向が、該転写ベルトが臨んでいる感光体表面部分の移動方向と同方向とされ、該現像器のケースの一部が該転写ベルト走行方向において上流側から該感光体及び該転写ベルトの双方に臨んでいるとともに該現像器の現像ローラが該現像器ケースの一部よりも前記転写ベルトから遠い位置で該感光体ドラムに臨設されている画像形成装置がある。
【０００９】
このような画像形成装置では、前記感光体ドラムと前記現像器ケースの一部との間に、一端部が前記転写ベルト側に位置するとともに他端部が前記現像ローラ側に位置する気流制御板を配置し、該気流制御板により、該現像ローラから該感光体ドラムに沿って転写ベルトの方へ流れ、折り返す気流を、主として、前記現像器ケースの一部と該気流制御板の間から該現像ローラの方へ導くようにすれば、現像領域に発生する粉煙トナーの周辺への広範囲の飛散を抑制することができる。
【００１０】
しかも、かかる気流制御板は、現像器から切り離して配置する場合であれ、現像器に付設等する態様で配置する場合であれ、現像器本体外に、現像器本体から実質上独立的に配置でき、また、気流制御板材料も安価ものを選択採用でき、これらにより、それだけ簡易に安価に配置することができる。
【００１１】
本発明は、かかる知見に基づき、回転する感光体上に形成される静電潜像を現像器の回転する現像ローラを用いて現像してトナー像とし、該トナー像を走行する転写ベルトに転写するように構成された画像形成装置であって、該現像ローラの回転方向が感光体回転方向と逆方向とされ、該転写ベルトの走行方向が、該転写ベルトが臨んでいる感光体表面部分の移動方向と同方向とされ、該現像器のケースの一部が該転写ベルト走行方向において上流側から該感光体及び該転写ベルトの双方に臨んでいるとともに該現像器の現像ローラが該現像器ケースの一部よりも前記転写ベルトから遠い位置で該感光体ドラムに臨設されており、前記感光体ドラムと前記現像器ケースの一部との間に、一端部が前記転写ベルト側に位置するとともに他端部が前記現像ローラ側に位置する気流制御板が配置されており、該気流制御板は、該現像ローラから該感光体に沿って転写ベルトの方へ流れ、折り返す気流を、主として、前記現像器ケースの一部と該気流制御板の間から該現像ローラの方へ導く制御板である画像形成装置を提供する。
【００１２】
本発明者の研究によると、前記気流制御板による気流制御は、気流制御板の感光体側の板面の位置や現像器ケースの一部側の板面の位置、特に、気流制御板の、転写ベルト側の前記一端部における、感光体側の板面の位置や現像器ケースの一部側の板面の位置、さらには、該気流制御板一端部領域での感光体と現像器ケースの一部間の距離に影響されるところが大きく、また、気流制御板の前記一端部の転写ベルトに対する位置や現像器ケースの一部と転写ベルトとの間隙距離にも影響される。
【００１３】
そこで、前記気流制御板の一端部において前記現像器ケースの一部に対向する板面に立てた垂線上における該板面から前記感光体までの距離がＡ、該気流制御板の一端部において前記感光体に対向する板面に立てた垂線上における該板面から該現像器ケースの一部までの距離がＢ、前記気流制御板の一端部において前記現像器ケースの一部に対向する板面に立てた垂線上における該感光体から該現像器ケースの一部までの距離がＣであるとき、Ａ≦〔（２／３）・Ｃ〕  且つ  Ｂ≦〔（２／３）・Ｃ〕を満足させることが望ましい。この場合、Ａ、Ｂの下限については、当然のことながら、厚みを有する気流制御板が存在し得る範囲のものとなる。
【００１４】
上記距離Ａが（２／３）・Ｃより大きくなってくると、  現像器ケースの一部と気流制御板との間の距離が小さくなりすぎて、現像ローラから感光体に沿って転写ベルトの方へ流れ、折り返してくる気流が、主として、気流制御板と感光体との間を、気流制御板に沿うようにして戻ってきて、気流制御板と感光体との間の気流が乱れる恐れがあり、距離Ａがさらに大きくなると、気流制御板による気流制御効果が得難くなってくる。
【００１５】
また、上記距離Ａが（２／３）・Ｃより大きくなってくると、気流制御板の感光体側の板面の汚れが多くなり、気流制御板が現像器に付設等する態様で設けられ、現像器交換時に気流制御板も現像器本体とともに着脱されるような場合、気流制御板の感光体側の板面の汚れがユーザの手に触れてユーザーを汚染し易くなる。この観点からも、Ａ≦〔（２／３）・Ｃ〕として、気流制御板の感光体側の板面の汚れを抑制することが望ましい、と言える。
【００１６】
上記距離Ｂが（２／３）・Ｃより大きくなってくると、感光体と気流制御板との距離が小さくなりすぎ、現像ローラから感光体に沿って転写ベルトの方へ流れる円滑な気流が得難くなってくる。Ｂがさらに大きくなると、気流制御板による気流制御効果が得難くなってくる。
【００１７】
また、前記気流制御板と前記転写ベルト間の最短距離がＤ、前記現像器ケースの一部と前記転写ベルト間の最短距離がＥであるとき、１〔ｍｍ〕≦（Ｄ−Ｅ）を満足させることが望ましい。
【００１８】
（Ｄ−Ｅ）が１ｍｍより小さくなってくると、気流制御板の転写ベルト側の一端部位置が、現像器ケースの転写ベルトに対向する面の位置と同じ面位置に近づき、或いは、現像器ケースの転写ベルトに対向する面の位置を超え、そうなると、現像ローラから感光体に沿って転写ベルトの方へ流れ、折り返してくる気流が、転写ベルトと前記現像器ケースの一部との間に流入し易くなり、粉煙トナーが飛散し易くなる。
しかし、（Ｄ−Ｅ）があまり大きすぎると、気流制御板を設ける効果が得られなくなってくるので、他の諸条件にもよるが、（Ｄ−Ｅ）は概ね５ｍｍ程度以下とすればよい。
【００１９】
いずれにしても、前記気流制御板と前記現像器ケースの一部との間に、粉煙トナーをできるだけ捕獲して、その飛散を抑制するために、気流ろ過用フィルタを設けてもよい。
【発明の効果】
【００２０】
以上説明したように本発明によると、回転する感光体上に形成される静電潜像を現像器の回転する現像ローラを用いて現像してトナー像とし、該トナー像を走行する転写ベルトに転写するように構成された画像形成装置であって、感光体上の静電潜像の現像器による現像に伴って発生する粉煙トナーの飛散を、簡易に安価に抑制できる画像形成装置を提供することができる。
【発明を実施するための最良の形態】
【００２１】
次に本発明の実施形態について図面を参照して説明する。
図１は本発明に係る画像形成装置の１例であるタンデム型フルカラー画像形成装置を示している。
この画像形成装置は、ローラ（プーリ）３１、３２、３３に巻き掛けられて駆動ローラ３１で図中反時計方向（図中矢印方向）に回転駆動される、無端の中間転写ベルト４を備えている。図中左下のローラ３２には中間転写ベルト４上の残留トナー等を除去するクリーナＣＬが臨んでおり、図中右側のローラ３１には２次転写ローラ６が臨んでいる。２次転写ローラ６の上方には定着装置８が設置されている。
【００２２】
ローラ３２、３１の間には中間転写ベルト４に沿って、ローラ３２から３１に向けて、イエロー画像形成部Ｙ、マゼンタ画像形成部Ｍ、シアン画像形成部Ｃ及びブラック画像形成部Ｋがこの順序で配置されている。
各画像形成部は、ドラム型の感光体１１を備えており、該感光体の周囲に帯電装置１２、画像露光装置１３、現像器１４、１次転写ローラ２及び感光体上の残留トナー等を除去するクリーナ１５がこの順序で配置されている。１次転写ローラ２は中間転写ベルト４を間にして感光体１１に対向している。また、各画像形成部には気流制御板５が設けられている。気流制御板５については後ほど詳述する。
【００２３】
各画像形成部の帯電装置１２には、図示省略の電源から感光体帯電用の所定の高電圧が所定のタイミングで印加される。各画像形成部の現像器１４の現像ローラ１４１には、図示省略の、その画像形成部用の現像バイアス電源から所定の現像バイアスが所定のタイミングで印加される。
【００２４】
また、各画像形成部の１次転写ローラ２には、図示省略の、その画像形成部用の１次転写電源から、１次転写電圧が、感光体１１上のトナー像を中間転写ベルト４へ１次転写するタイミングで印加される。
２次転写ローラ６には、図示省略の２次転写電源から、２次転写電圧が、中間転写ベルト４上のトナー像を記録媒体Ｓへ２次転写するタイミングで印加される。
【００２５】
図１に示す画像形成装置によると、次のように画像形成がなされる。
最終的に形成されるべき画像に応じて、画像形成部Ｙ、Ｍ、Ｃ及びＫのうち少なくとも一つにおいて画像が形成される。
画像形成部Ｙ、Ｍ、Ｃ及びＫのすべてを用いてフルカラー画像を形成する場合を例にとると、先ず、イエロー画像形成部Ｙにおいてイエロートナー像が形成され、中間転写ベルト４に１次転写される。
【００２６】
すなわち、イエロー画像形成部Ｙにおいて、感光体１１が図中時計方向に回転駆動され、帯電装置１２にて感光体１１表面が一様に所定電位に帯電せしめられ、該帯電域に画像露光装置１３からイエロー画像用の画像露光が施され、感光体１１上にイエロー用静電潜像が形成される。この静電潜像はイエロートナーを有する現像器１４の、現像バイアスが印加さた、図中反時計方向に回転駆動される現像ローラ１４１にて現像されて可視イエロートナー像となり、該トナー像が１次転写電圧を印加された１次転写ローラ２にて中間転写ベルト４上に転写される。
【００２７】
同様にして、マゼンタ画像形成部Ｍにおいてマゼンタトナー像が形成されて中間転写ベルト４に転写され、シアン画像形成部Ｃにおいてシアントナー像が形成されて中間転写ベルト４に転写され、ブラック画像形成部Ｋにおいてブラックトナー像が形成されて中間転写ベルト４に転写される。
【００２８】
イエロー、シアン、マゼンタ、ブラックのトナー像はこれらが中間転写ベルト４上に重ねて転写されるタイミングで形成される。
かくして中間転写ベルト４上に形成された多重トナー像は中間転写ベルト４の回動により２次転写ローラ６へ向け移動する。
【００２９】
一方、図示省略の、転写紙等の記録媒体の供給部から記録媒体Ｓが、タイミングローラ対７へ供給され、さらに、該タイミングローラ対７から、中間転写ベルト４上の多重トナー像と同期をとって転写ベルト４と２次転写ローラ６との間に供給され、２次転写電圧を印加された２次転写ローラ６にて多重トナー像が該記録媒体Ｓ上に転写される。その後記録媒体Ｓは定着装置８に通され、そこで多重トナー像が加熱加圧下に記録媒体Ｓに定着され、所定のカラー画像が形成される。
【００３０】
以上説明した画像形成装置の画像形成部Ｙ、Ｍ、Ｃ及びＫのそれぞれにおける気流制御板５は、図２に示すように配置されている。
図２に示すように、各画像形成部においては、現像ローラ１４１の回転方向が感光体１１の回転方向と逆方向となっており、転写ベルト４の走行方向が、該転写ベルトが臨んでいる感光体１１表面部分の移動方向と同方向となっている。また、現像器１４のケース１４０の一部１４２が転写ベルト走行方向において上流側から感光体１１及び転写ベルト４の双方に臨んでいる。現像ローラ１４１は、ケース部分１４２よりも転写ベルト４から遠い位置で感光体ドラム１１に臨設されている。
【００３１】
気流制御板５は、感光体１１とケース部分１４２との間に、上端部が転写ベルト４側に位置するとともに下端部が現像ローラ１４１側に位置するように配置されている。
気流制御板５の上端部において、現像器ケース部分１４２に対向する側の板面に立てた垂線上における該板面から感光体１１までの距離はＡである。同じく気流制御板５の上端部において、感光体１１に対向する側の板面に立てた垂線上における該板面から現像器ケース部分１４２までの距離はＢである。また、気流制御板上端部において現像器ケース部分１４２に対向する側の板面に立てた垂線上における感光体１１から該ケース部分１４２までの距離はＣである。
【００３２】
なお、それとは限定されないが、図示例の制御板５では、制御板５の上端部において、現像器ケース部分１４２に対向する側の板面と感光体１１に対向する側の板面とは平行であり、前記距離Ａ、Ｂ及びＣを測定するための、それら板面に立てる垂線は一致している。また、図示例の制御板５では、制御板５の上端部において現像器ケース部分１４２に対向する側の板面と感光体１１に対向する側の板面とは、いずれも制御板５の上端面に対して垂直である。そして、Ａ≦〔（２／３）・Ｃ〕  且つ  Ｂ≦〔（２／３）・Ｃ〕に設定されている。
【００３３】
さらに、気流制御板５の上端５ａと転写ベルト４間の最短距離はＤであり、現像器ケース部分１４２と転写ベルト４間の最短距離はＥであり、１〔ｍｍ〕≦（Ｄ−Ｅ）≦５〔ｍｍ〕の関係にある。
図示例の気流制御板５は上端部から下端部へ次第に薄肉に形成されている。
気流制御板５と現像器ケース部分１４２との間には、粉煙トナーを捕獲して、その飛散を抑制するために、気流ろ過用フィルタＦＬを設けてある。
【００３４】
画像形成部にかかる気流制御板５を設けない場合には、図４に比較例として示すように、画像形成のために転写ベルト４が走行し、感光体ドラム１１及び現像ローラ１４１が回転すると、気流ｆ１’、ｆ２’、ｆ３’等が発生する。すなわち、転写ベルト４の走行に伴って、転写ベルト４と感光体１１との接触ニップ部Ｎの近傍まで流れ、そこで折り返し、現像器ケース部分１４２の上面１４２ａに沿って戻っていく気流ｆ３’が発生するとともに、現像ローラ１４１から感光体１１に沿って転写ベルト４の方へ、前記ニップ部Ｎの近くまで流れ、そこで折り返し、主として、前記気流ｆ３’とともに流れ出る気流ｆ１’及びｆ２’が発生する。
このとき、感光体１１上の静電潜像を現像器１４の現像ローラ１４１で現像するに伴って発生する粉煙トナーは、気流ｆ１’及びｆ２’に乗って現像領域周辺へ広範囲に飛散してしまう。
【００３５】
しかし、図１に示す画像形成装置では、画像形成部において画像形成のために転写ベルト４が走行し、感光体ドラム１１及び現像ローラ１４１が回転すると、図３に示すように、転写ベルト４の走行に伴って前記ニップ部Ｎ近傍まで流れ、そこで折り返し、現像器ケース部分１４２の上面に沿って戻っていく気流ｆ３が発生する一方、現像ローラ１４１から感光体１１沿って転写ベルト４の方へ、前記ニップ部Ｎ近くまで流れ、そこで折り返して、主として、現像器ケース部分１４２と気流制御板５の間へ流入し、さらに現像ローラ１４１の方へ導かれる気流ｆ１及びｆ２が発生する。
【００３６】
感光体１１上の静電潜像を現像器１４の現像ローラ１４１で現像するに伴って発生する粉煙トナーは、かかる、気流制御板５に沿って現像ローラ１４１の方へ戻る気流ｆ１及びｆ２に乗って移動し、現像領域から周辺へ広範囲に飛散することが抑制される。
【００３７】
図５は、前記距離Ａを（２／３）・Ｃより大きくした気流制御板５’を設ける場合を示している。この場合は、図５に示すように、現像ローラ１４１から感光体１１に沿って転写ベルト４の方へ流れ、折り返してくる気流ｆ２（５’）が、主として、気流制御板５’と感光体１１との間を、気流制御板５’に沿うようにして戻ってきて、気流制御板５’と感光体１１との間の気流が乱れる恐れがあり、距離Ａがさらに大きくなると、気流制御板５’による気流制御効果が得難くなってくる。
【００３８】
また、気流制御板５’の感光体１１側の板面の汚れが多くなり、気流制御板５’が現像器１４に付設等する態様で設けられ、現像器交換時に気流制御板５’も現像器１４本体とともに着脱されるような場合、気流制御板５’の感光体側の板面の汚れがユーザの手に触れてユーザーを汚染し易くなる。
【００３９】
図示を省略しているが、前記距離Ｂを（２／３）・Ｃより大きくした場合には、現像ローラ１４１から感光体１１に沿って転写ベルト４の方へ流れる円滑な気流が得難くなってくるし、距離Ｂがさらに大きくなると、気流制御板による気流制御効果が得難くなってくる。
よって、図１の画像形成装置では、気流制御板５に関する前記距離Ａ、Ｂに、
Ａ≦〔（２／３）・Ｃ〕  且つ  Ｂ≦〔（２／３）・Ｃ〕の条件を満足させている。
【００４０】
図６は、前記距離Ｄ及びＥについて、（Ｄ−Ｅ）を１ｍｍ以下である０とした例、すなわち、図６の例では、上端５ａ”が現像器ケース部分１４２の、転写ベルト４に向き合う上面１４２ａと略同じ位置とした気流制御板５”を採用した場合を示している。
このように、（Ｄ−Ｅ）が１ｍｍより小さくなってくると、現像ローラ１４１から感光体１１に沿って転写ベルト４の方へ流れ、折り返してくる気流ｆ２（５”）が、主として、転写ベルト４と現像器ケース部分１４２の上面１４２ａとの間に流入するようになり、これに乗った粉煙トナーが現像領域周辺へ広範囲に飛散するようになる。
【００４１】
よって、図１の画像形成装置では、１〔ｍｍ〕≦（Ｄ−Ｅ）を設定している。
なお、気流制御板の下端部と現像ローラ１４１との間の距離については、気流への影響が小さいので、前記図３の気流ｆ１、ｆ２が得られる範囲で適当に定めればよい。
【産業上の利用可能性】
【００４２】
本発明は、回転する感光体上に形成される静電潜像を現像器の回転する現像ローラを用いて現像してトナー像とし、該トナー像を走行する転写ベルトに転写するように構成された画像形成装置、例えばタンデム型のカラー画像形成装置において、現像領域に発生する粉煙トナーが現像領域周辺へ広範囲に飛散して機内を汚染することを抑制することに利用できる。
【図面の簡単な説明】
【００４３】
【図１】本発明に係る画像形成装置の１例の概略を示す図である。
【図２】図１の画像形成装置の各画像形成部における気流制御板の配置等を示す図である。
【図３】図２に示す気流制御板の配置による気流制御、ひいては粉煙トナー飛散抑制状態を示す図である。
【図４】図１の画像形成装置の画像形成部に気流制御板を設けない場合の気流を示す図である。
【図５】距離Ａを２Ｃ／３より大きくして気流制御板を配置する場合の気流例を示す図である。
【図６】距離（Ｄ−Ｅ）を１ｍｍより小さくして気流制御板を配置する場合の気流例を示す図である。
【符号の説明】
【００４４】
Ｙ  イエロー画像形成部
Ｍ  マゼンタ画像形成部
Ｃ  シアン画像形成部
Ｋ  ブラック画像形成部
１１  感光体
１２  帯電装置
１３  画像露光装置
１４  現像器
１４１  現像ローラ
１４０  現像器ケース
１４２  現像器ケースの一部
１４２ａ  現像器ケース部分１４２の上面
１５  クリーナ
２  １次転写ローラ
３１、３２、３３  転写ベルト用ローラ（プーリ）
４  中間転写ベルト
ＣＬ  クリーナ
５、５’、５”  気流制御板
５ａ  気流制御板５の上端
５ａ”  気流制御板５”の上端
ｆ１、ｆ２、ｆ３  気流制御板５による気流
ＦＬ  気流ろ過用フィルタ
ｆ１’、ｆ２’、ｆ３’  気流制御板がない場合の気流
ｆ２（５’）  気流制御板５’による折り返し気流
ｆ２（５”）  気流制御板５”による折り返し気流
６  ２次転写ローラ
７  タイミングローラ対
８  定着装置
Ｓ  記録媒体
【図１】
2006276092.tif 000003
【図２】
2006276092.tif 000004
【図３】
2006276092.tif 000005
【図４】
2006276092.tif 000006
【図５】
2006276092.tif 000007
【図６】
2006276092.tif 000008